(57)【要約】【課題】コネクタを基板に十分な強度で固定することができるコネクタ固定具を得る。【解決手段】コネクタ３０の上方に突出した押圧部材１２の後端部を下方に押すと、押圧部材１２の当部１２Ａが脚部材４０の傾斜部４８を押し、脚部材４０及び爪部４６が前後に拡がる。これにより、爪部４６のテーパー面４６Ａが基板２２の取付穴２２Ａの下端側周縁に係合し、ハウジング３２が基板２２に固定される。このように、押圧部材１２によって、脚部材４０が押し拡げられ、これにより、爪部４６を取付穴２２Ａの周縁に係止させるため、脚部材の弾性力で押し拡げるのと比較して、コネクタ３０を基板２２に十分な保持力で固定することができる。【選択図】図１
2008171708.tif 000002
【特許請求の範囲】
【請求項１】
基板に実装されるコネクタを前記基板に取り付けるためのコネクタ固定具において、
前記コネクタから突出して取り付けられ、前記基板に形成された矩形状の取付穴に挿入される共に、挿入方向と交差する方向に拡大縮小可能とされた一対の脚部材と、
前記脚部材の先端部に設けられ、一対の前記脚部材が拡がる方向に移動すると前記取付穴の周縁に係止される爪部と、
一対の前記脚部材の対向面に設けられ、先端部に向って互いに接近し合う方向へ傾斜する傾斜部と、
一対の前記脚部材の間に移動可能に挿入され、前記傾斜部を押圧して前記脚部材を拡げる当部が設けられた押圧部材と、
を備えることを特徴としたコネクタ固定具。
【請求項２】
前記脚部材及び前記押圧部材は板材であって、前記脚部材及び前記押圧部材の板厚方向は、同一であることを特徴とする請求項１記載のコネクタ固定具。
【請求項３】
前記コネクタに固定されるベース部から一対の前記脚部材を折り曲げて、前記ベース部と一対の前記脚部材を１枚の板材から一体的に加工すると共に、前記ベース面に一対の前記脚部材を沿わせたことを特徴とする請求項２記載のコネクタ固定具。
【請求項４】
前記押圧部材には、抜止凸部が設けられ、前記脚部材には、前記抜止凸部と当接して、前記押圧部材が前記脚部材から抜けるのを防止する当接凸部が設けられることを特徴とする請求項１乃至３何れか１項に記載されたコネクタ固定具。
【発明の詳細な説明】
【技術分野】
【０００１】
本発明は、基板に実装されるコネクタを基板に固定するためのコネクタ固定具に関する。
【背景技術】
【０００２】
プリント配線板等の基板に実装されるコネクタを基板に固定するためのコネクタ固定具が開示されている。（特許文献１）
このコネクタ固定具は、コネクタのハウジングから突出した２本の脚部材の先端部に形成された爪部を基板の取付穴に挿入し取付穴の周縁に爪部を係止させ、コネクタを基板に仮止めするようになっている。そして、取付穴の周縁に係止させた爪部を基板にはんだ付けすることで、コネクタが基板に固定されるようになっている。
【特許文献１】実開昭６３−１９９４７３号公報
【発明の開示】
【発明が解決しようとする課題】
【０００３】
しかしながら、このコネクタ固定具は、脚部材の弾性力を利用して爪部を取付穴の周縁に係止させているため、コネクタを基板へ保持する保持力が低く、大きな負荷がかかるコネクタは別途基板へネジ止めする必要があり、実装工程での工数が増えていた。
【０００４】
本発明は、上記事実を考慮して、コネクタを基板に十分な保持力で固定するこが課題である。
【課題を解決するための手段】
【０００５】
本発明の請求項１に係るコネクタ固定具は、基板に実装されるコネクタを前記基板に取り付けるためのコネクタ固定具において、前記コネクタから突出して取り付けられ、前記基板に形成された矩形状の取付穴に挿入される共に、挿入方向と交差する方向に拡大縮小可能とされた一対の脚部材と、前記脚部材の先端部に設けられ、一対の前記脚部材が拡がる方向に移動すると前記取付穴の周縁に係止される爪部と、一対の前記脚部材の対向面に設けられ、先端部に向って互いに接近し合う方向へ傾斜する傾斜部と、一対の前記脚部材の間に移動可能に挿入され、前記傾斜部を押圧して前記脚部材を拡げる当部が設けられた押圧部材と、を備えることを特徴とする。
【０００６】
上記構成によれば、コネクタ固定具に設けられた一対の脚部材を取付穴に挿入し、押圧部材を脚部材の間へ挿入すると、押圧部材の先端部に備えられた当部が脚部材の傾斜部を押圧し、一対の脚部材を拡げる。一対の脚部材を拡げることで、脚部材の爪部が取付穴の周縁と係止し、これにより、コネクタを基板へ取付けることができる。
【０００７】
このように、押圧部材を挿入して脚部材を拡げ、爪部を取付穴の周縁に係止させるため、脚部材を脚部材の弾性力で拡げて取付穴の周縁に係止させるのと比較して、コネクタを基板に十分な保持力で固定することができる。
【０００８】
本発明の請求項２に係るコネクタ固定具は、請求項１記載において、前記脚部材及び前記押圧部材は板材であって、前記脚部材及び前記押圧部材の板厚方向は、同一であることを特徴とする。
【０００９】
上記構成によれば、脚部材及び押圧部材は板材であって、脚部材及び押圧部材の板厚方向は、同一であるため、取付穴を板厚方向に拡幅せず、コネクタを基板に固定することができる。
【００１０】
本発明の請求項３に係るコネクタ固定具は、請求項２記載において、前記コネクタに固定されるベース部から一対の前記脚部材を折り曲げて、前記ベース部と一対の前記脚部材を１枚の板材から一体的に加工すると共に、前記ベース面に一対の前記脚部材を沿わせたことを特徴とする。
【００１１】
上記構成によれば、コネクタに固定されるベース部から脚部材を折り曲げて、ベース部と一対の脚部材を１枚の板材から一体的に加工し、さらに、ベース面に一対の脚部材を沿わせているので、安価な構成によってベース部の面をガイドとして押圧部材を脚部材の間に挿入することができる。
【００１２】
本発明の請求項４に係るコネクタ固定具は、請求項１乃至３何れか１項記載において、前記押圧部材には、抜止凸部が設けられ、前記脚部材には、前記抜止凸部と当接して、前記押圧部材が前記脚部材から抜けるのを防止する当接凸部が設けられることを特徴とする。
【００１３】
上記構成によれば、押圧部材には、抜止凸部が設けられ、脚部材には、抜止凸部と当接して、押圧部材が抜けるのを防止する当接凸部が設けられるため、押圧部材は抜け落ちることはない。
【発明の効果】
【００１４】
本発明のコネクタ固定具によれば、コネクタを基板に十分な保持力で固定するこができる。
【発明を実施するための最良の形態】
【００１５】
本発明のコネクタ固定具１０が採用されたコネクタ３０の実施形態について、図１〜図５に従って説明する。なお、コネクタ３０の開口方向を前方向とし、基板２２にコネクタ３０を取り付ける方向を下方向として説明する。
【００１６】
図５（Ａ）及び（Ｂ）に示されるように、コネクタ３０は、相手側のコネクタと噛合う開口部（図示省略）を有する略矩形箱状のハウジング３２を備えている。また、開口部の上下左右の縁部は、天板１６、底板１８、左右一対の側板２０によって構成されている。さらに、天板１６、底板１８、及び左右一対の側板２０は、開口部とは反対側の後端部で背板２３によって互いに連結されている。これにより、ハウジング３２が箱状に形成されている。
【００１７】
また、背板２３には、その面上にベース板２４が取り付けられ、ベース板２４から、複数の下端コネクタ端子２６Ａ及び上端コネクタ端子２６Ｂが外部へと延びて設けられている。
【００１８】
さらに、左右の側板２０の上端面２０Ａには、前後方向に延びる矩形状の開口部３８が設けられており、この開口部３８から後述するコネクタ固定具１０を挿入することで、コネクタ固定具１０がコネクタ３０に取り付けられるようになっている。
【００１９】
図４に示されるように、コネクタ固定具１０は、押圧部材１２と脚部材４０から構成されている。
【００２０】
脚部材４０は、後述する取付穴２２Ａへの挿入方向と直交する方向に２つに分割されて平行に下方へ延びている。また、脚部材４０は、１枚のプレート４４（本実施形態では、材質黄銅、板厚０．６５ｍｍ）を加工して、コネクタ３０に固定されるベース部４５と一体的に成形されてり、ベース部４５から脚部材４０を折り曲げて、ベース部４５の面に沿って形成されている。
【００２１】
詳細には、脚部材４０の基端部４２で折り曲げられて、１枚のプレート４４から一対の脚部材４０が形成されており、脚部材４０は、この基端部４２を中心に捩れ、脚部材４０の先端部の距離が拡大縮小する方向へ変形可能とされている。
【００２２】
また、この先端部には、先端部の距離が拡がる方向へ変形すると後述する取付穴２２Ａの周縁に係止される爪部４６が形成されている。爪部４６は、脚部材４０の端面から外側へ突出した形状とされており、さらに爪部４６の上面には、斜め下方へ延びるテーパー面４６Ａが設けられている。また、このテーパー面４６Ａと連結して下側へ向って、狭巾とされたガイド面４６Ｂが形成されている。
【００２３】
さらに、一対の脚部材４０が対向する脚部材４０の対向面４１には、先端部に向って互いに接近し合う方向へ傾斜する傾斜部４８が設けられ、また、傾斜部４８の上方には、半円状の一対の当接凸部５０が互いに近づく方向へ、凸状に設けられている。
【００２４】
なお、ベース部４５には、一対の段部４５Ａが設けられており、この段部４５Ａが、開口部３８（図５参照）に設けられた図示せぬストッパと当接しベース部４５がコネクタ３０（図５参照）に固定されるようになっている。
【００２５】
一方、図３（Ａ）に示されるように、プレート（本実施形態では、材質黄銅、板厚０．６５ｍｍ）を打ち抜いて上下方向に延びる柱状に形成された押圧部材１２は、板厚方向を脚部材４０と同一とし、さらに、一対の脚部材４０の間の挿入部１３（図４参照）に移動可能に挿入されている。また、その先端部には、中心部に徐々に傾斜して近づいた一対の当部１２Ａが設けられている。さらに、この当部１２Ａから後端部の間には、脚部材４０の当接凸部５０と当接して、押圧部材１２が上方へ抜けるのを防止する凸状の抜止凸部１２Ｂが設けられており、押圧部材１２が抜け落ちるのを防止している。
【００２６】
また、図３（Ｂ）に示されるように、押圧部材１２を下方に押すと、押圧部材１２の当部１２Ａが脚部材４０の傾斜部４８を押し、脚部材４０及び爪部４６が前後に拡がるようになっている。
【００２７】
一方、図５（Ａ）に示す取付穴２２Ａの穴幅は、脚部材４０及び押圧部材１２の板厚（本実施形態では、０，６５ｍｍ）と略同一とされている。ここで、略同一とは、取付穴２２Ａの穴幅を脚部材４０及び押圧部材１２の板厚に取付穴２２Ａの位置バラツキ等の製造誤差のみを加えた値としていることをいう。
【００２８】
以下、コネクタ３０の基板２２への取付けについて説明する。
【００２９】
図２（Ａ）、図５（Ａ）に示されるように、コネクタ３０には、開口部３８から挿入されたコネクタ固定具１０が、両端部に設けられ、コネクタ３０の下方には、脚部材４０の先端に形成された爪部４６が突出し、さらに、コネクタ３０の上方には、押圧部材１２の後端部が突出している。
【００３０】
図２（Ｂ）に示されるように、コネクタ３０の下方に突出した爪部４６を基板２２に設けられた取付穴２２Ａに挿入する。この挿入時において、ガイド面４６Ｂが穴壁に当り脚部材４０は、互いに接近する方向に変形し、取付穴２２Ａの内周部を撫でながら取付穴２２Ａ内を移動する。
【００３１】
なお、一対の脚部材４０の隙は、互いに変形した時に干渉しないように設けられている。
【００３２】
脚部材４０の爪部４６が取付穴２２Ａに挿入されてハウジング３２の底板１８が基板２２上に載置されると、爪部４６が基板２２の下方に突出する。
【００３３】
次に、図１（Ａ）、図５（Ｂ）に示されるように、コネクタ３０の上方に突出した押圧部材１２の後端部を下方に押すと、前述したように、押圧部材１２の当部１２Ａが脚部材４０の傾斜部４８を押し、脚部材４０及び爪部４６が前後に拡がる。これにより、爪部４６のテーパー面４６Ａが基板２２の取付穴２２Ａの下端側周縁に係合し、ハウジング３２が基板２２に固定される。
【００３４】
図１（Ａ）、図１（Ｂ）に示されるように、基板２２の下方から爪部４６が基板２２にはんだ５２にてはんだ付けされる。この結果、ハウジング３２が基板２２に完全に固定される。
【００３５】
このように、押圧部材１２によって、脚部材４０が押し拡げられ、これにより、爪部４６を取付穴２２Ａの周縁に係止させるため、脚部材の弾性力で押し拡げるのと比較して、コネクタ３０を基板２２に十分な保持力で固定することができる。
【００３６】
また、従来のように脚部材の弾性力のみで基板２２に固定する場合には、ハウジング３２を基板２２に固定する固定強度を補強するためハウジング３２を別途基板２２へネジ止めする場合があったが、ネジ止めを廃止することも可能である。
【００３７】
また、脚部材４０及び押圧部材１２がプレート（板材）であって、脚部材４０及び押圧部材１２の板厚方向は、同一であり、さらに、取付穴２２Ａの穴幅と板厚が略同一とされているため、最小の取付けスペースでコネクタ３０を基板２２に固定することができる。さらに、取付穴２２Ａを板厚方向に拡幅せず、コネクタ３０を基板２２に固定することができる。
【００３８】
また、押圧部材１２を押し込むことで、傾斜部４８の角度に基づいて徐々に爪部４６が拡がり、取付穴２２Ａと係止するため、押圧部材１２の押込量を調整することで、基板２２の板厚違いにも対応することができる。
【００３９】
また、１枚のプレート４４を加工することによって、コネクタ３０に固定されるベース部４５と一対の脚部材４０が一体的に成形され、さらに、ベース部４５から脚部材４０を折り曲げて、脚部材４０をベース部４５の面に沿わせているので、ベース部４５の面をガイドとして押圧部材１２を脚部材４０の間に挿入することができる。
【図面の簡単な説明】
【００４０】
【図１】（Ａ）本発明の実施形態に係るコネクタ及び基板を示した側面図である。（Ｂ）本発明の実施形態に係るコネクタ固定具及び基板を示し、図１（Ａ）のＢ−Ｂ線断面図である。
【図２】（Ａ）本発明の実施形態に係るコネクタ及び基板を示し、コネクタを基板に固定する前の状態を示した側面図である。（Ｂ）本発明の実施形態に係るコネクタ固定具及び基板を示し、爪部を取付穴に挿入した状態を示した側面図である。
【図３】（Ａ）本発明の実施形態に係るコネクタ固定具を示し、押圧部材を押込む前の状態を示した斜視図である。（Ｂ）本発明の実施形態に係るコネクタ固定具を示し、押圧部材を押込んだ後の状態を示した斜視図である。
【図４】本発明の実施形態に係るコネクタの分解斜視図である。
【図５】（Ａ）本発明の実施形態に係るコネクタを基板に取り付けようとしている状態を示した斜視図である。（Ｂ）本発明の実施形態に係るコネクタと基板が取り付いた状態を示した斜視図である。
【符号の説明】
【００４１】
１０      コネクタ固定具
１２      押圧部材
１２Ａ    当部
１２Ｂ    抜止凸部
２２      基板
２２Ａ    取付穴
３０      コネクタ
４０      脚部材
４１      対向面
４４      プレート（板材）
４５      ベース部
４６      爪部
４８      傾斜部
５０      当接凸部
【図１】
2008171708.tif 000003
【図２】
2008171708.tif 000004
【図３】
2008171708.tif 000005
【図４】
2008171708.tif 000006
【図５】
2008171708.tif 000007